(57)【要約】【課題】測定信号としきい値との大小関係の比較結果の表示を簡便に行う。【解決手段】電力グラフ４４により表示される電力が、しきい値グラフ４６により表示されるしきい値を超えた場合には、しきい値を超えていることに対応する部分（しきい値）４６ａの線の種類を実線から点線に変える。このとき、画面４０は単一のものであるため、電力としきい値との大小関係の表示のために別の画面を設けなくてすむ。よって、電力としきい値との大小関係の比較結果の表示を簡便に行うことができる。【選択図】　図４
2004053253.tif 000002
【特許請求の範囲】
【請求項１】
第一測定量に対応づけて第二測定量を記録する測定量記録手段と、
前記第一測定量に対応づけて前記第二測定量のしきい値を記録するしきい値記録手段と、
前記第一測定量に対応づけて前記第二測定量および前記しきい値を単一の画面に表示することを制御する画面表示制御手段と、
前記第二測定量と前記しきい値との大小を比較する測定量比較手段と、
前記測定量比較手段の比較結果に基づき、前記画面の表示態様を変更する表示態様変更手段と、
を備えた測定量表示装置。
【請求項２】
請求項１に記載の測定量表示装置であって、
前記表示態様変更手段は、前記しきい値が表示されたものの内の前記測定量比較手段の比較結果が所定の結果であることに対応する部分の表示態様を変更する、
測定量表示装置。
【請求項３】
請求項１に記載の測定量表示装置であって、
前記表示態様変更手段は、前記第二測定量が表示されたものの内の前記測定量比較手段の比較結果が所定の結果であることに対応する部分の表示態様を変更する、
測定量表示装置。
【請求項４】
請求項１に記載の測定量表示装置であって、
前記表示態様変更手段は、前記測定量比較手段の比較結果が所定の結果であることに対応する前記第一測定量に関する画面領域の表示態様を変更する、
測定量表示装置。
【請求項５】
請求項１ないし４のいずれか一項に記載の測定量表示装置であって、
前記表示態様は色または模様である、
測定量表示装置。
【請求項６】
請求項１ないし３のいずれか一項に記載の測定量表示装置であって、
前記表示態様は線の種類である、
測定量表示装置。
【請求項７】
請求項１ないし３のいずれか一項に記載の測定量表示装置であって、
前記表示態様は線の太さである、
測定量表示装置。
【請求項８】
第一測定量に対応づけて第二測定量を記録する測定量記録工程と、
前記第一測定量に対応づけて前記第二測定量のしきい値を記録するしきい値記録工程と、
前記第一測定量に対応づけて前記第二測定量および前記しきい値を単一の画面に表示することを制御する画面表示制御工程と、
前記第二測定量と前記しきい値との大小を比較する測定量比較工程と、
前記測定量比較工程における比較結果に基づき、前記画面の表示態様を変更する表示態様変更工程と、
を備えた測定量表示方法。
【請求項９】
第一測定量に対応づけて第二測定量を記録する測定量記録処理と、
前記第一測定量に対応づけて前記第二測定量のしきい値を記録するしきい値記録処理と、
前記第一測定量に対応づけて前記第二測定量および前記しきい値を単一の画面に表示することを制御する画面表示制御処理と、
前記第二測定量と前記しきい値との大小を比較する測定量比較処理と、
前記測定量比較処理における比較結果に基づき、前記画面の表示態様を変更する表示態様変更処理と、
をコンピュータに実行させるためのプログラム。
【請求項１０】
第一測定量に対応づけて第二測定量を記録する測定量記録処理と、
前記第一測定量に対応づけて前記第二測定量のしきい値を記録するしきい値記録処理と、
前記第一測定量に対応づけて前記第二測定量および前記しきい値を単一の画面に表示することを制御する画面表示制御処理と、
前記第二測定量と前記しきい値との大小を比較する測定量比較処理と、
前記測定量比較処理における比較結果に基づき、前記画面の表示態様を変更する表示態様変更処理と、
をコンピュータに実行させるためのプログラムを記録したコンピュータによって読み取り可能な記録媒体。
【発明の詳細な説明】
【０００１】
【発明の属する技術分野】
本発明は測定信号としきい値との大小関係の表示に関する。
【０００２】
【従来の技術】
従来より、測定信号としきい値との大小関係を表示することが行われている。図１０に、従来技術における測定信号としきい値との大小関係の比較結果の表示画面を示す。図１０の例では、縦軸が電力、横軸が周波数を示す。
【０００３】
測定信号表示画面１００には、測定信号１１０としきい値１２０が表示されている。また、しきい値１２０に応じて、測定信号表示画面１００は、領域１３０ａ、ｂ、ｃ、ｄ、ｅに分けられている。領域１３０ａ、ｂ、ｃ、ｄ、ｅにおいて、測定信号１１０がしきい値１２０を超えているか否かが判定される。図１０の例では、領域１３０ａにおける測定信号１１０の一部の信号１１０ａが、しきい値１２０を超えている。
【０００４】
そこで、測定信号表示画面１００の直下に表示される比較結果表示画面２００は、しきい値１２０を超えている信号が存在する領域（領域１３０ａ）がわかりやすいように表示する。例えば、領域（領域１３０ａ）の真下の部分２０２の色や模様といった表示態様を変更する。
【０００５】
【発明が解決しようとする課題】
しかしながら、測定信号としきい値との大小関係の比較結果を表示するために、測定信号表示画面１００とは別に比較結果表示画面２００を設けなくてはならないので、手間がかかる。
【０００６】
そこで、本発明は、測定信号としきい値との大小関係の比較結果の表示を簡便に行うことを課題とする。
【０００７】
【課題を解決するための手段】
請求項１に記載の発明は、第一測定量に対応づけて第二測定量を記録する測定量記録手段と、第一測定量に対応づけて第二測定量のしきい値を記録するしきい値記録手段と、第一測定量に対応づけて第二測定量およびしきい値を単一の画面に表示することを制御する画面表示制御手段と、第二測定量としきい値との大小を比較する測定量比較手段と、測定量比較手段の比較結果に基づき、画面の表示態様を変更する表示態様変更手段とを備えるように構成される。
【０００８】
上記のように構成された測定量表示装置によれば、第二測定量としきい値との大小関係に基づき、画面の表示態様が変更される。しかも、画面は単一のものであるため、第二測定量としきい値との大小関係の表示のために別の画面を設けなくてすむ。よって、測定量としきい値との大小関係の比較結果の表示を簡便に行うことができる。
【０００９】
請求項２に記載の発明は、請求項１に記載の発明であって、表示態様変更手段は、しきい値が表示されたものの内の測定量比較手段の比較結果が所定の結果であることに対応する部分の表示態様を変更するように構成される。
【００１０】
請求項３に記載の発明は、請求項１に記載の発明であって、表示態様変更手段は、第二測定量が表示されたものの内の測定量比較手段の比較結果が所定の結果であることに対応する部分の表示態様を変更するように構成される。
【００１１】
請求項４に記載の発明は、請求項１に記載の発明であって、表示態様変更手段は、測定量比較手段の比較結果が所定の結果であることに対応する第一測定量に関する画面領域の表示態様を変更するように構成される。
【００１２】
請求項５に記載の発明は、請求項１ないし４のいずれか一項に記載の発明であって、表示態様は色または模様であるように構成される。
【００１３】
請求項６に記載の発明は、請求項１ないし３のいずれか一項に記載の発明であって、表示態様は線の種類であるように構成される。
【００１４】
請求項７に記載の発明は、請求項１ないし３のいずれか一項に記載の発明であって、表示態様は線の太さであるように構成される。
【００１５】
請求項８に記載の発明は、第一測定量に対応づけて第二測定量を記録する測定量記録工程と、第一測定量に対応づけて第二測定量のしきい値を記録するしきい値記録工程と、第一測定量に対応づけて第二測定量およびしきい値を単一の画面に表示することを制御する画面表示制御工程と、第二測定量としきい値との大小を比較する測定量比較工程と、測定量比較工程における比較結果に基づき、画面の表示態様を変更する表示態様変更工程とを備えるように構成される。
【００１６】
請求項９に記載の発明は、第一測定量に対応づけて第二測定量を記録する測定量記録処理と、第一測定量に対応づけて第二測定量のしきい値を記録するしきい値記録処理と、第一測定量に対応づけて第二測定量およびしきい値を単一の画面に表示することを制御する画面表示制御処理と、第二測定量としきい値との大小を比較する測定量比較処理と、測定量比較処理における比較結果に基づき、画面の表示態様を変更する表示態様変更処理とをコンピュータに実行させるためのプログラムである。
【００１７】
請求項１０に記載の発明は、第一測定量に対応づけて第二測定量を記録する測定量記録処理と、第一測定量に対応づけて第二測定量のしきい値を記録するしきい値記録処理と、第一測定量に対応づけて第二測定量およびしきい値を単一の画面に表示することを制御する画面表示制御処理と、第二測定量としきい値との大小を比較する測定量比較処理と、測定量比較処理における比較結果に基づき、画面の表示態様を変更する表示態様変更処理と、をコンピュータに実行させるためのプログラムを記録したコンピュータによって読み取り可能な記録媒体である。
【００１８】
【発明の実施の形態】
以下、本発明の実施形態を図面を参照しながら説明する。
【００１９】
第一の実施形態
図１は、本発明の第一の実施形態にかかる測定量表示装置１の構成を示すブロック図である。本発明の第一の実施形態にかかる測定量表示装置１は、アンテナ１０、前変換部１２、Ａ／Ｄ変換部１４、ＦＦＴ部１６、測定量記録部２２、しきい値記録部２４、画面表示制御部２６、ディスプレイ２８、測定量比較部３０、表示態様変更部３２を備える。
【００２０】
アンテナ１０は、通信信号を受信する。前変換部１２は、受信された通信信号の周波数を変換（ダウンコンバート）して、Ａ／Ｄ変換が可能な周波数の信号にして出力する。Ａ／Ｄ変換部１４は、前変換部１２により周波数が変換された通信信号をＡ／Ｄ変換して出力する。ＦＦＴ部１６は、Ａ／Ｄ変換部１４の出力にＦＦＴ（ｆａｓｔ　Ｆｏｕｒｉｅｒ　ｔｒａｎｓｆｏｒｍ：高速フーリエ変換）を行う。
【００２１】
測定量記録部２２は、ＦＦＴ部１６の出力を記録する。測定量記録部２２の記録内容の一例を図２に示す。図２に示すように、測定量記録部２２には、周波数（第一測定量）に対応付けて、電力（第二測定量）が記録されている。例えば、周波数が０ｋＨｚならば、電力が−１６ｄＢｍである。なお、図２における周波数は観測の中心の周波数を仮に０ｋＨｚとして示している。例えば、観測の中心の周波数が実際には１０ｋＨｚであるとすれば、５〜１５ｋＨｚに対応する電力が記録されていることになる。
【００２２】
しきい値記録部２４は、周波数（第一測定量）に対応付けて、電力（第二測定量）のしきい値が記録されている。しきい値としては、電力（第二測定量）の上限あるいは下限が考えられるが、第一の実施形態においては上限を考える。しきい値記録部２４の記録内容の一例を図３に示す。図３に示すように、周波数（第一測定量）に対応付けて、電力（第二測定量）のしきい値（上限）が記録されている。例えば、周波数が−２〜−１ｋＨｚにおいては、電力の上限は−５０ｄＢｍということになる。
【００２３】
画面表示制御部２６は、測定量記録部２２およびしきい値記録部２４から周波数（第一測定量）に対応付けられた電力（第二測定量）およびしきい値（上限）を読出し、周波数（第一測定量）を横軸にとり、電力（第二測定量）を縦軸にとった画面のデータを生成し、ディスプレイ２８に表示させる。すなわち、ディスプレイ２８の表示を制御する。ディスプレイ２８は、生成された画面のデータを受けて表示する。
【００２４】
ディスプレイ２８の表示例を図４（ａ）を参照して説明する。画面４０の横軸４２ａは周波数を示し、縦軸４２ｂは電力を示す。測定量記録部２２に記録された電力は電力グラフ４４のように、しきい値記録部２４に記録されたしきい値はしきい値グラフ４６のように表示される。
【００２５】
測定量比較部３０は、電力（第二測定量）としきい値との大小を比較する。例えば、測定量比較部３０は、測定量記録部２２から周波数（第一測定量）と、それに対応付けられた電力（第二測定量）を読み出す。次に、読み出された周波数（第一測定量）に対応するしきい値をしきい値記録部２４から読み出す。そして、電力（第二測定量）をしきい値（上限）と比較し、電力（第二測定量）がしきい値（上限）を超えているか否かを判定する。図２および図３を参照して、測定量比較部３０の動作を説明すると、周波数０ｋＨｚのときの電力が−１６ｄＢｍであり（図２参照）、しきい値は０ｄＢｍであるので（図３参照）、周波数０ｋＨｚのときはしきい値を超えていないことがわかる。
【００２６】
表示態様変更部３２は、測定量比較部３０の比較結果に基づき、画面４０の表示態様を変更する。例えば、図４（ａ）を参照して、測定量比較部３０の比較結果が「電力がしきい値を超えている」ということである場合に、しきい値グラフ４６の内の電力がしきい値を超えていることに対応する部分（しきい値）４６ａの線の種類を実線から点線に変更する。なお、しきい値グラフ４６は、しきい値が等しい区間ごとに部分に分けられているものとする。すなわち、しきい値グラフ４６は、−５〜−２ｋＨｚの部分、−２〜−１ｋＨｚの部分、−１〜１ｋＨｚの部分、１〜２ｋＨｚの部分、２〜５ｋＨｚの部分（しきい値を超えていることに対応する部分（しきい値）４６ａに相当）に分けられている。また、しきい値を超えていることに対応する部分（しきい値）４６ａの線の色を変更するようにしてもよい。さらに、図５に示すように、しきい値を超えていることに対応する部分４６ａの線の太さを変更するようにしてもよい。しかも、表示態様変更部３２は、測定量比較部３０の比較結果が「電力がしきい値を超えている」ということである場合に、その旨を示すメッセージ５０をディスプレイ２８に表示させるようにしてもよい。
【００２７】
なお、しきい値グラフ４６は、しきい値が等しい区間ごとに部分に分けられているものとしたが、部分への分け方は他にも考えられる。図４（ｂ）に、しきい値グラフ４６の変形例を示す。電力グラフ４４は図示省略する。例えば、図４（ｂ）に示すように、しきい値グラフ４６が傾きの異なる複数の線分により構成されていたとする。この場合は、しきい値グラフ４６は、傾きが共通する区間ごとに部分に分けられているものとする。すなわち、しきい値グラフ４６は、−５〜−２ｋＨｚの部分、−２〜−１ｋＨｚの部分、−１〜１ｋＨｚの部分、１〜２ｋＨｚの部分、２〜５ｋＨｚの部分（しきい値を超えていることに対応する部分（しきい値）４６ａに相当）に分けられている。なお、以降の実施形態においても、しきい値グラフ４６が傾きの異なる複数の線分により構成されていることが考えられる。
【００２８】
次に、第一の実施形態の動作を説明する。通信信号がアンテナ１０により受信され、前変換部１２により周波数が変換（ダウンコンバート）されて、Ａ／Ｄ変換部１４に与えられる。Ａ／Ｄ変換部１４によりＡ／Ｄ変換がなされ、さらにＦＦＴ部１６によりＦＦＴがなされ、その結果は測定量記録部２２に記録される。測定量記録部２２およびしきい値記録部２４の記録内容は、画面表示制御部２６により読み出され、ディスプレイ２８に電力グラフ４４およびしきい値グラフ４６のように、単一の画面４０に表示される。
【００２９】
ここで、測定量記録部２２およびしきい値記録部２４の記録内容は、測定量比較部３０によっても読み出され、ある周波数において電力がしきい値を超えているか否かが判定される。超えている部分があれば、それに対応する部分の表示態様を変更する。例えば、表示態様変更部３２は、しきい値グラフ４６の内の電力がしきい値を超えていることに対応する部分（しきい値）４６ａの線の種類を実線から点線に変更する。あるいは色、太さを変更する。しかも、「電力がしきい値を超えている」を示すメッセージ５０をディスプレイ２８に表示させる。
【００３０】
第一の実施形態によれば、電力（第二測定量）がしきい値（上限）を超えている場合に、画面４０の表示態様が変更される。すなわち、しきい値グラフ４６の内の電力がしきい値を超えていることに対応する部分（しきい値）４６ａの線の種類、色あるいは太さを変更する。これにより、しきい値を超えている周波数がわかりやすい。
【００３１】
しかも、画面４０は単一のものであるため、電力（第二測定量）がしきい値（上限）との大小関係の表示のために別の画面を設けなくてすむ。あるいは、単にメッセージ５０を表示させるだけでよい。よって、測定量としきい値との大小関係の比較結果の表示を簡便に行うことができる。
【００３２】
第二の実施形態
第二の実施形態は、表示態様変更部３２が、電力（第二測定量）がしきい値を超えていることに対応する部分（電力）４４ａ（図６参照）の表示態様を変更する点が第一の実施形態と異なる。
【００３３】
第二の実施形態にかかる測定量表示装置１は、アンテナ１０、前変換部１２、Ａ／Ｄ変換部１４、ＦＦＴ部１６、測定量記録部２２、しきい値記録部２４、画面表示制御部２６、ディスプレイ２８、測定量比較部３０、表示態様変更部３２を備える。第二の実施形態にかかる測定量表示装置１の構成は第一の実施形態と同様である。なお、第一の実施形態と同様な部分は同一の番号を付して説明を省略する。
【００３４】
アンテナ１０、前変換部１２、Ａ／Ｄ変換部１４、ＦＦＴ部１６、測定量記録部２２、しきい値記録部２４、画面表示制御部２６、ディスプレイ２８、測定量比較部３０は第一の実施形態と同様であり説明を省略する。
【００３５】
表示態様変更部３２は、測定量比較部３０の比較結果に基づき、画面４０の表示態様を変更する。例えば、図６を参照して、測定量比較部３０の比較結果が「電力がしきい値を超えている」ということである場合に、電力グラフ４４の内の電力がしきい値を超えていることに対応する部分（電力）４４ａの線の種類を実線から点線に変更する。また、しきい値を超えていることに対応する部分（電力）４４ａの線の色を変更するようにしてもよい。しかも、表示態様変更部３２は、測定量比較部３０の比較結果が「電力がしきい値を超えている」ということである場合に、その旨を示すメッセージ５０をディスプレイ２８に表示させるようにしてもよい。
【００３６】
次に、第二の実施形態の動作を説明する。通信信号がアンテナ１０により受信され、前変換部１２により周波数が変換（ダウンコンバート）されて、Ａ／Ｄ変換部１４に与えられる。Ａ／Ｄ変換部１４によりＡ／Ｄ変換がなされ、さらにＦＦＴ部１６によりＦＦＴがなされ、その結果は測定量記録部２２に記録される。測定量記録部２２およびしきい値記録部２４の記録内容は、画面表示制御部２６により読み出され、ディスプレイ２８に電力グラフ４４およびしきい値グラフ４６のように、単一の画面４０に表示される。
【００３７】
ここで、測定量記録部２２およびしきい値記録部２４の記録内容は、測定量比較部３０によっても読み出され、ある周波数において電力がしきい値を超えているか否かが判定される。超えている部分があれば、それに対応する部分の表示態様を変更する。例えば、表示態様変更部３２が、電力グラフ４４の内の電力がしきい値を超えていることに対応する部分（電力）４４ａの線の種類を実線から点線に変更する。あるいは色、太さを変更する。しかも、「電力がしきい値を超えている」を示すメッセージ５０をディスプレイ２８に表示させる。
【００３８】
第二の実施形態によれば、第一の実施形態と同様な効果を奏する。
【００３９】
第三の実施形態
第三の実施形態は、表示態様変更部３２が、電力（第二測定量）がしきい値を超えている部分に対応する周波数（第一測定量）に関する画面領域４８（図７参照）の表示態様を変更する点が第一の実施形態と異なる。
【００４０】
第三の実施形態にかかる測定量表示装置１は、アンテナ１０、前変換部１２、Ａ／Ｄ変換部１４、ＦＦＴ部１６、測定量記録部２２、しきい値記録部２４、画面表示制御部２６、ディスプレイ２８、測定量比較部３０、表示態様変更部３２を備える。第三の実施形態にかかる測定量表示装置１の構成は第一の実施形態と同様である。なお、第一の実施形態と同様な部分は同一の番号を付して説明を省略する。
【００４１】
アンテナ１０、前変換部１２、Ａ／Ｄ変換部１４、ＦＦＴ部１６、測定量記録部２２、しきい値記録部２４、画面表示制御部２６、ディスプレイ２８、測定量比較部３０は第一の実施形態と同様であり説明を省略する。
【００４２】
表示態様変更部３２は、測定量比較部３０の比較結果に基づき、画面４０の表表示態様を変更する。例えば、図７（ａ）を参照して、測定量比較部３０の比較結果が「電力がしきい値を超えている」ということである場合に、電力がしきい値を超えている部分に対応する周波数（第一測定量）（２〜５ｋＨｚ）に関する画面領域４８の模様を無地からドットパターンに変更する。なお、画面４０は、しきい値が等しい区間ごとに画面領域に分けられているものとする。すなわち、画面４０は、−５〜−２ｋＨｚの部分、−２〜−１ｋＨｚの部分、−１〜１ｋＨｚの部分、１〜２ｋＨｚの部分、２〜５ｋＨｚの画面領域（電力がしきい値を超えている画面領域４８に相当）に分けられている。なお、画面領域の高さは画面４０の高さに等しい。
【００４３】
なお、画面４０は、しきい値が等しい区間ごとに部分に分けられているものとしたが、部分への分け方は他にも考えられる。図７（ｂ）に、しきい値グラフ４６の変形例を示す。電力グラフ４４は図示省略する。例えば、図７（ｂ）に示すように、しきい値グラフ４６が傾きの異なる複数の線分により構成されていたとする。この場合は、画面４０は、しきい値グラフ４６の傾きが共通する区間ごとに部分に分けられているものとする。すなわち、画面４０は、−５〜−２ｋＨｚの部分、−２〜−１ｋＨｚの部分、−１〜１ｋＨｚの部分、１〜２ｋＨｚの部分、２〜５ｋＨｚの部分（電力がしきい値を超えている画面領域４８に相当）に分けられている。
【００４４】
ただし、図８に示すように、画面領域の高さを、しきい値グラフ４６の太さよりもやや大きい程度してもよい。この場合は、画面領域４８をしきい値グラフ４６に重ねるようにする。
【００４５】
また、画面領域４８の色を変更するようにしてもよい。しかも、表示態様変更部３２は、測定量比較部３０の比較結果が「電力がしきい値を超えている」ということである場合に、その旨を示すメッセージ５０をディスプレイ２８に表示させるようにしてもよい。
【００４６】
次に、第三の実施形態の動作を説明する。通信信号がアンテナ１０により受信され、前変換部１２により周波数が変換（ダウンコンバート）されて、Ａ／Ｄ変換部１４に与えられる。Ａ／Ｄ変換部１４によりＡ／Ｄ変換がなされ、さらにＦＦＴ部１６によりＦＦＴがなされ、その結果は測定量記録部２２に記録される。測定量記録部２２およびしきい値記録部２４の記録内容は、画面表示制御部２６により読み出され、ディスプレイ２８に電力グラフ４４およびしきい値グラフ４６のように、単一の画面４０に表示される。
【００４７】
ここで、測定量記録部２２およびしきい値記録部２４の記録内容は、測定量比較部３０によっても読み出され、ある周波数において電力がしきい値を超えているか否かが判定される。超えている部分があれば、それに対応する部分の表示態様を変更する。例えば、表示態様変更部３２が、電力がしきい値を超えていることに対応する周波数（第一測定量）（２〜５ｋＨｚ）に関する画面領域４８の模様を無地からドットパターンに変更する。あるいは色を変更する。しかも、「電力がしきい値を超えている」を示すメッセージ５０をディスプレイ２８に表示させる。
【００４８】
第三の実施形態によれば、第一の実施形態と同様な効果を奏する。
【００４９】
第四の実施形態
第四の実施形態は、基本的に、第一および第二の実施形態を組み合わせたものである。
【００５０】
第四の実施形態にかかる測定量表示装置１は、アンテナ１０、前変換部１２、Ａ／Ｄ変換部１４、ＦＦＴ部１６、測定量記録部２２、しきい値記録部２４、画面表示制御部２６、ディスプレイ２８、測定量比較部３０、表示態様変更部３２を備える。第四の実施形態にかかる測定量表示装置１の構成は第一の実施形態と同様である。なお、第一の実施形態と同様な部分は同一の番号を付して説明を省略する。
【００５１】
アンテナ１０、前変換部１２、Ａ／Ｄ変換部１４、ＦＦＴ部１６、測定量記録部２２、しきい値記録部２４、画面表示制御部２６、ディスプレイ２８、測定量比較部３０は第一の実施形態と同様であり説明を省略する。
【００５２】
表示態様変更部３２は、測定量比較部３０の比較結果に基づき、画面４０の表示態様を変更する。例えば、図９を参照して、測定量比較部３０の比較結果が「電力がしきい値を超えている」ということである場合に、しきい値グラフ４６の内の電力がしきい値を超えていることに対応する部分（しきい値）４６ａの線の種類を実線から点線に変更する。しかも、電力グラフ４４の内の電力がしきい値を超えていることに対応する部分（電力）４４ａの線の種類を実線から点線に変更する。なお、線の色を変えるようにしてもよい。しかも、表示態様変更部３２は、測定量比較部３０の比較結果が「電力がしきい値を超えている」ということである場合に、その旨を示すメッセージ５０をディスプレイ２８に表示させるようにしてもよい。
【００５３】
次に、第四の実施形態の動作を説明する。通信信号がアンテナ１０により受信され、前変換部１２により周波数が変換（ダウンコンバート）されて、Ａ／Ｄ変換部１４に与えられる。Ａ／Ｄ変換部１４によりＡ／Ｄ変換がなされ、さらにＦＦＴ部１６によりＦＦＴがなされ、その結果は測定量記録部２２に記録される。測定量記録部２２およびしきい値記録部２４の記録内容は、画面表示制御部２６により読み出され、ディスプレイ２８に電力グラフ４４およびしきい値グラフ４６のように、単一の画面４０に表示される。
【００５４】
ここで、測定量記録部２２およびしきい値記録部２４の記録内容は、測定量比較部３０によっても読み出され、ある周波数において電力がしきい値を超えているか否かが判定される。超えている部分があれば、それに対応する部分の表示態様を変更する。例えば、表示態様変更部３２が、しきい値グラフ４６の内の電力がしきい値を超えていることに対応する部分（しきい値）４６ａの線の種類を実線から点線に変更する。さらに、電力グラフ４４の内の電力がしきい値を超えていることに対応する部分（電力）４４ａの線の種類を実線から点線に変更する。あるいは色、太さを変更する。しかも、「電力がしきい値を超えている」を示すメッセージ５０をディスプレイ２８に表示させる。
【００５５】
第四の実施形態によれば、第一の実施形態と同様な効果を奏する。
【００５６】
なお、上記の実施形態においては、周波数を第一測定量とし、電力を第二測定量として説明した。しかし、第一測定量および第二測定量はこれらに限定されない。例えば、第一測定量を時間としてもよい。さらには、ＣＤＭＡ（ｃｏｄｅ　ｄｉｖｉｓｉｏｎ　ｍｕｌｔｉｐｌｅ　ａｃｃｅｓｓ）の測定に適用して、第一測定量を周波数チャネル、第二測定量を各周波数チャネルにおける信号レベルとしてもよい。
【００５７】
また、上記の実施形態において、ＣＰＵ、ハードディスク、メディア（フロッピーディスク、ＣＤ−ＲＯＭなど）読み取り装置を備えたコンピュータのメディア読み取り装置に、上記の各部分（例えば、測定量記録部２２、しきい値記録部２４、画面表示制御部２６、測定量比較部３０、表示態様変更部３２）を実現するプログラムを記録したメディアを読み取らせて、ハードディスクにインストールする。このような方法でも、測定量表示装置１を実現できる。
【００５８】
【発明の効果】
本発明によれば、第二測定量としきい値との大小関係に基づき、画面の表示態様が変更される。しかも、画面は単一のものであるため、第二測定量としきい値との大小関係の表示のために別の画面を設けなくてすむ。よって、測定量としきい値との大小関係の比較結果の表示を簡便に行うことができる。
【図面の簡単な説明】
【図１】本発明の第一の実施形態にかかる測定量表示装置１の構成を示すブロック図である。
【図２】測定量記録部２２の記録内容の一例を示す図である。
【図３】しきい値記録部２４の記録内容の一例を示す図である。
【図４】第一の実施形態におけるディスプレイ２８の表示例を示す図である。
【図５】第一の実施形態の変形例におけるディスプレイ２８の表示例を示す図である。
【図６】第二の実施形態におけるディスプレイ２８の表示例を示す図である。
【図７】第三の実施形態におけるディスプレイ２８の表示例を示す図である。
【図８】第三の実施形態の変形例におけるディスプレイ２８の表示例を示す図である。
【図９】第四の実施形態におけるディスプレイ２８の表示例を示す図である。
【図１０】従来技術における測定信号としきい値との大小関係の比較結果の表示画面である。
【符号の説明】
１　測定量表示装置
２２　測定量記録部
２４　しきい値記録部
２６　画面生成部
２８　ディスプレイ
３０　測定量比較部
３２　表示態様変更部
４０　画面
４２ａ　横軸
４２ｂ　縦軸
４４　電力グラフ
４４ａ　しきい値を超えていることに対応する部分（電力）
４６　しきい値グラフ
４６ａ　しきい値を超えていることに対応する部分（しきい値）
４８　画面領域
【図１】
2004053253.tif 000003
【図２】
2004053253.tif 000004
【図３】
2004053253.tif 000005
【図４】
2004053253.tif 000006
【図５】
2004053253.tif 000007
【図６】
2004053253.tif 000008
【図７】
2004053253.tif 000009
【図８】
2004053253.tif 000010
【図９】
2004053253.tif 000011
【図１０】
2004053253.tif 000012